(57)【特許請求の範囲】
【請求項１】
床板の下部に配設された通水管をトイレ，洗面台，流し台等の止水栓に接続する通水管の接続構造において、床板に穿設した挿通孔に前記通水管を挿通可能な貫通金具を固定し、前記止水栓は床板の上部で通水管を接続するための継手部材を結合し、該継手部材又は貫通金具の一方に突部を形成し、他方に突部が嵌合する挿入孔を形成し、継手部材を貫通金具に差し込むことで止水栓を貫通金具にワンタッチで固定可能としたことを特徴とする通水管の接続構造。
【請求項２】
前記継手部材は一端に雄ねじ部を形成し、該雄ねじ部に螺着するナットと継手本体の間に割りリングを介在させ、樹脂製の通水管をナットの開口部から挿入し、割りリングが通水管の周面を押圧することで継手部材に接続可能としたことを特徴とする請求項１記載の通水管の接続構造。
【発明の詳細な説明】
【０００１】
【発明の属する技術分野】
本発明は、床下に配設された通水管をトイレ，洗面台，流し台等の止水栓に接続する構造に関する。
【０００２】
【従来の技術】
従来、床下に水を供給する通水管を配設し、該通水管を床板から立ち上げてトイレ，洗面台，流し台等に取り付けられている止水栓に接続するものとして公知のものに図５のものがある。この図５について簡単に説明すると、床板４０の下部に配設されている樹脂製の通水管４２は、先端を垂直方向に折曲させて床板４０に固定した貫通金具４１を挿通させ、床上で止水栓４３に接続しており、通水管４２を通過した水は止水栓４３からパイプ４４を介して便器４５の後方に固定した給水タンク４６へ供給されるものである。
【０００３】
上記のものにあっては、通水管は貫通金具を通過するのみで支持されておらず床上の高い位置で止水栓に接続しており、止水栓は下方で支持される場所がない状態で宙に浮いているため安定性が悪く、水が通水管を通過するたびに激しく振動し異常音が発生するものであり、不快感を与えるという問題があった。
【０００４】
【発明が解決しようとする課題】
本発明が解決しようとする課題は、床下に配設された通水管を床板の貫通金具を通過して、トイレ，洗面台，流し台等の止水栓に接続する通水管の接続構造において、通水時の止水栓の振動を防止するものである。
【０００５】
【課題を解決するための手段】
本発明は請求項１では、床板の下部に配設された通水管をトイレ，洗面台，流し台等の止水栓に接続する通水管の接続構造において、床板に穿設した挿通孔に前記通水管を挿通可能な貫通金具を固定し、前記止水栓は床板の上部で通水管を接続するための継手部材を結合し、該継手部材又は貫通金具の一方に突部を形成し、他方に突部が嵌合する挿入孔を形成し、継手部材を貫通金具に差し込むことで止水栓を貫通金具にワンタッチで固定可能としたものである。
【０００６】
請求項２では、前記継手部材は一端に雄ねじ部を形成し、該雄ねじ部に螺着するナットと継手本体の間に割りリングを介在させ、樹脂製の通水管をナットの開口部から挿入し、割りリングが通水管の周面を押圧することで継手部材に接続可能としたものである。
【０００７】
【発明の実施の形態】
以下、本発明の実施の形態を図に基づいて詳細に説明する。
本発明の通水管の接続構造はトイレ，洗面台，流し台等に適用されるものであり、本実施例の図１ではトイレに適用した場合を示す。床板１には便器４が固定されており、便器４の後方には内部に便器洗浄用の水を収容したロータンク５が固定されている。該ロータンク５の側部には給水源から水を供給するための給水管６を取り付け、該給水管６は床板１に向けて垂直方向に配置され、下部に止水栓７を接続している。
【０００８】
前記止水栓７は、ハンドル７ａを回転操作することでロータンク５への水の止水，通水を可能にしたものであり、図２及び図３に示すように、下部に後述する通水管２７を接続するための継手部材９を螺着して結合し、該継手部材９は通水管２７の先端が挿入される略円筒状の継手本体１０と、該継手本体１０に螺着するナット１７と、該ナット１７と継手本体１０の間に配設された割りリング２４とを備えている。
【０００９】
前記継手本体１０は略円筒状で、スパナ等の締付け工具が係止されるように外周面を六角形状にした工具係止部１１の内周が、止水栓７の下部に形成した連結部８に螺着され、下部外周に雄ねじ部１３が形成されている。
【００１０】
前記雄ねじ部１３の内周側には、所定の間隔をおいて前記通水管２７より小径に形成した円筒状の案内部１４が設けられている。該案内部１４の先端は雄ねじ部１３より下方に露出し、外周面の先端側には溝孔１５，１５が軸方向に併設して環状に形成され、該溝孔１５，１５には同一形状のシール部材１６，１６がそれぞれ装着されている。
【００１１】
前記シール部材１６は通水管２７の内周面に付着した異物の捕捉と水漏れを防止するためのもので、ゴム等の弾性材からなり、通水管２７の先端が下方から案内部１４に外嵌されるとシール部材１６は変形し、通水管２７の内周面に水密的に密着してシールが確実となるようにしている。
【００１２】
ナット１７は内周面入口に前記継手本体１０の雄ねじ部１３に螺着する雌ねじ部１８が形成され、該雌ねじ部１８の奥には通水管２７が挿入される開口部１９に向かうにつれて徐々に小径にしたテーパー面２０が形成され、下端には止水栓７及び継手部材９を床板１に固定した後述する貫通金具２８に固定するための円柱状の突部２１が突出しており、該突部２１の先端には溝孔２２が環状に形成され、該溝孔２２には漏水防止用のシールリング２３を装着している。
【００１３】
割りリング２４はナット１７のテーパー面２０の内側に挿入されるものであり、軸方向の一部にスリットを形成することで縮径及び拡径が可能で、内周面には通水管２７を容易に挿入するためのテーパー面２５、及び通水管２７の外周面を押圧し食い込む凹凸状の食い込み溝２６を形成している。従って割りリング２４は通水管２７の挿入時に拡径するので継手部材９に容易に挿入させることができるが、通水管２７を継手部材９から引き出そうとする力が加わると割りリング２４は縮径し、食い込み溝２６が通水管２７の外周面に深く食い込み、引き出せないようにしている。
【００１４】
ロータンク５への給水用の通水管２７は容易に屈曲できる合成樹脂製のポリエチレン管，ポリプロピレン管等で形成し、床板１と基礎床３の間に配設されており、上流側を給水源（図示省略）に接続し、下流側は床上に向けて垂直方向に折り曲げ、床板１に穿設した挿通孔２に固定した後述する貫通金具２８を挿通するようにしている。
【００１５】
通水管２７の先端側は、継手本体１０の案内部１４とナット１７の間に形成される空間に挿入され案内部１４に水密的に外嵌するものであり、継手本体１０の工具係止部１１には通水管２７の先端が案内部１４の奥まで挿入されているのかを、外部のどの方向からでも目視できるように、確認孔１２を周面に同一間隔で複数個穿設している。
【００１６】
前記貫通金具２８は上部外周縁全体に、床板１の挿通孔２周縁と上下に向かい合うフランジ部２９を形成し、該フランジ部２９に穿設したビス孔３０に床板１の上側からビス３１を挿通して床板１に固定するものであり、中央の垂直方向に通水管２７が挿通し、且つ前記継手部材９のナット１７に形成した突部２１が嵌合される挿入孔３２を形成し、該挿入孔３２は内周面に前記突部２１に装着したシールリング２３が水密的に嵌合する溝孔３３を形成している。なお、本実施例では継手部材に突部を形成し貫通金具に挿入孔を形成しているが、継手部材に挿入孔を形成し貫通金具に突部を形成してもよい。
【００１７】
今、基礎床３の上に配設されている通水管２７を、ロータンク５に取り付けた給水管６下部の止水栓７に接続するには、図２に示すように床板１を張って該床板１に固定した貫通金具２８に形成されている挿入孔３２に、床板１の下部から通水管２７の先端を垂直方向に立ち上げ挿通させる。
【００１８】
次に通水管２７の先端を貫通金具２８から床板１の上部に露出させ、止水栓７に結合している継手部材９のナット１７の開口部１９へ挿入し、継手本体１０の案内部１４に外嵌すると、通水管２７の内周面はシール部材１６，１６をスムーズに乗り越えて案内部１４の外周面に密着する。この時、通水管２７は継手本体１０の案内部１４と割りリング２４の間で挟着され、しかも割りリング２４のテーパー面２５が通水管２７の外周面を押圧し、食い込み溝２６が外周面に食い込み、通水管２７を案内部１４の外周面に押圧しているのでシール部材１６のシールが確実で、ナット１７を緩めないと引き抜くことはできない。
【００１９】
そして床板１の上部から貫通金具２８を覆うことのできる化粧カバー３４と共に、継手部材９の突部２１を貫通金具の挿入孔３２に差し込めば、図３に示すように突部２１が挿入孔３２に嵌合し、しかも突部２１のシールリング２３が挿入孔３２の溝孔３３に係合して漏水が防止され、止水栓７を貫通金具２８にワンタッチで固定することができる。
【００２０】
図４は本発明の別の実施例であり、この実施例の配管接続構造は洗面台に適用した場合を示す。この実施例でも基礎床３の上に配設されている通水管２７を床板１に固定した貫通金具２８に挿通し、通水管２７の先端を洗面台３５のキャビネット３６内部で止水栓７に結合している継手部材９に接続し、継手部材９を貫通金具２８に嵌合するものである。従って、水栓３７と給水管６を介して連通する止水栓７は貫通金具２８に固定されているものである。
【００２１】
【発明の効果】
本発明は請求項１では、床板の下部に配設された通水管をトイレ，洗面台，流し台等の止水栓に接続する通水管の接続構造において、床板に穿設した挿通孔に前記通水管を挿通可能な貫通金具を固定し、前記止水栓は床板の上部で通水管を接続するための継手部材を結合し、該継手部材又は貫通金具の一方に突部を形成し、他方に突部が嵌合する挿入孔を形成し、継手部材を貫通金具に差し込むことで止水栓を貫通金具にワンタッチで固定可能とした。従って、通水管が接続された止水栓は継手部材により貫通金具に差し込むだけでワンタッチで固定することができ、通水時の止水栓の振動を無くし、異常音の発生を防止することができる。
【００２２】
また、止水栓は床板の低い位置に固定されるので、従来の高い位置に配置されているものと比較して邪魔になることがなく、外観がすっきりとしスペースを広くすることで有効に利用することができる。
【００２３】
請求項２では、前記継手部材は一端に雄ねじ部を形成し、該雄ねじ部に螺着するナットと継手本体の間に割りリングを介在させ、樹脂製の通水管をナットの開口部から挿入し、割りリングが通水管の周面を押圧することで継手部材に接続可能とした。従って、通水管は継手部材に挿入するだけで接続することができ、作業性を向上させることで通水管の更新を容易に行うことができる。
【図面の簡単な説明】
【図１】本発明による通水管の接続構造の説明図で、止水栓が貫通金具に固定した状態である。
【図２】図１の要部説明図で、通水管と止水栓が分離した状態である。
【図３】図１の要部説明図で、通水管を止水栓に接続し、貫通金具に固定した状態である。
【図４】本発明の別の実施例の説明図である。
【図５】従来技術の説明図である。
【符号の説明】
１                      床板
２                      挿通孔
７                      止水栓
９                      継手部材
１０                    継手本体
１３                    雄ねじ部
１７                    ナット
１９                    開口部
２１                    突部
２４                    割りリング
２７                    通水管
２８                    貫通金具
３２                    挿入孔
【図１】
0004462681.tif 000002
【図２】
0004462681.tif 000003
【図３】
0004462681.tif 000004
【図４】
0004462681.tif 000005
【図５】
0004462681.tif 000006